(57)【要約】【課題】上方からの押圧や衝撃によってヘッダーが損傷することを防止した架台、及び、それを備えた配管システムを提供することを課題とする。【解決手段】配管システム１０は、複数の継手が接続されたヘッダー１２と、ヘッダー１２が固定される架台１３とを有する。架台１３は、長尺状の載置部５０と、載置部５０にヘッダー１２を固定するサイドバンド５６と、載置部５０に載置されたヘッダー１２をヘッダー上側で保護する位置と、ヘッダー１２の枝配管接続部１８の回転軌跡上から退避した位置とで移動可能にされた板材５８Ｐ、５８Ｑと、を有する。板材５８Ｐ、５８Ｑは、サイドバンド上部５６Ｕから載置部長手方向Ｕの両側にそれぞれ延び出しており、しかも、載置部長手方向Ｕに沿った状態と、根元側から上方向へ折り曲げた状態とに切り替え可能にされている。【選択図】図１
2010209930.tif 000002
【特許請求の範囲】
【請求項１】
主管部と前記主管部に設けられ枝配管を接続するための枝配管接続部とを有する複数のヘッダー基体を相対回転可能に連結させてなる連結式のヘッダーが載置される載置部と、
前記載置部に載置された前記ヘッダーを保護する保護カバーと、
を備えた、架台。
【請求項２】
前記保護カバーが、前記載置部に載置された前記ヘッダーをヘッダー上側で保護する位置と、前記枝配管接続部の回転軌跡上から退避した位置とで移動可能にされている、請求項１に記載の架台。
【請求項３】
前記主管部を固定するサイドバンドの両側から延出し、前記主管部に沿った位置と、起立した位置とに移動可能である板材が前記保護カバーとして設けられている、請求項２に記載の架台。
【請求項４】
前記ヘッダーの上側と、前記退避した位置とに回動移動可能に設けられた板材が前記保護カバーとして設けられている、請求項２に記載の架台。
【請求項５】
前記ヘッダーの上側と、前記退避した位置とにスライド移動可能に設けられた板材が前記保護カバーとして設けられている、請求項２に記載の架台。
【請求項６】
請求項１〜５のうち何れか１項に記載の架台と、
前記架台の前記載置部に固定された前記ヘッダーと、
を備えた、配管システム。
【発明の詳細な説明】
【技術分野】
【０００１】
本発明は、特に樹脂製のヘッダーを保護するのに最適な架台、及び、それを備えた配管システムに関する。
【背景技術】
【０００２】
家屋等の建築物では、床下に配管（例えば給水管や配水管）を敷設することが多い（例えば特許文献１参照）。近年、集合住宅を始めとして戸建住宅にあっても、給水・給湯用の配管に樹脂管が広く用いられており、これに伴い、これらの管の継手も樹脂製のものが広く用いられるようになってきた。そして、通常はヘッダー部に主管を集め、これより必要な部位へ分岐管を配管するようになっている。
【０００３】
ところで、水を使う機器の数は様々であるため、機器の数に応じて複数の継手を連結するタイプの連結式ヘッダーが市販され使用されている。この連結式ヘッダーでは、各々の継手が回動自由となっており、所望の方向へ分岐管を配置できる特徴がある。
【先行技術文献】
【特許文献】
【０００４】
【特許文献１】特開２０００−２３４６８９号公報
【発明の概要】
【発明が解決しようとする課題】
【０００５】
ところで、この種のヘッダーは、建物のスラブ上に配置されるが、施工現場にて作業員が誤って踏み付けたりする場合がある。金属製のヘッダーは剛性が高いため、誤って踏み付けても破損することは考えられなかったが、軽量化のために合成樹脂で形成されているヘッダーを連結した連結式ヘッダーにおいては、金属製に比較して剛性が低いため、踏み付けたり、重量物を載せたり、運搬物を作業員が誤って落下させたりして曲げ応力がかかると、連結部分に応力が集中して連結式のヘッダーを破損することが考えられる。
【０００６】
本発明は、上記事実を考慮して、上方からの押圧や衝撃によってヘッダーが損傷することを防止した架台、及び、それを備えた配管システムを提供することを課題とする。
【課題を解決するための手段】
【０００７】
請求項１に記載の発明は、主管部と前記主管部に設けられ枝配管を接続するための枝配管接続部とを有する複数のヘッダー基体を相対回転可能に連結させてなる連結式のヘッダーが載置される載置部と、前記載置部に載置された前記ヘッダーを保護する保護カバーと、を備えている。
【０００８】
請求項１に記載の発明では、敷設したヘッダーの上方から作業員が誤って踏んだり、運搬物を作業員が誤ってヘッダーの上方から落下させたりしても、保護カバーがヘッダーを強度的に保護しているのでヘッダーが損傷するおそれがない。
【０００９】
請求項２に記載の発明は、前記保護カバーが、前記載置部に載置された前記ヘッダーをヘッダー上側で保護する位置と、前記枝配管接続部の回転軌跡上から退避した位置とで移動可能にされている。
請求項２に記載の発明では、ヘッダーを載置部に載置した後、ヘッダーの上側に保護カバーを移動させる。従って、敷設したヘッダーの上方から作業員が誤って踏んだり、運搬物を作業員が誤ってヘッダーの上方から落下させたりしても、保護カバーがヘッダーを強度的に保護しているのでヘッダーが損傷するおそれがない。
枝配管接続部の少なくとも１つを上方向あるいは反転方向に向ける必要があるときなどでは、枝配管接続部の回転軌跡上から退避した位置に保護カバーを移動させる。
【００１０】
請求項３に記載の発明は、前記主管部を固定するサイドバンドの両側から延出し、前記主管部に沿った位置と、起立した位置とに移動可能である板材が前記保護カバーとして設けられている。
請求項３に記載の発明では、板材を前記主管部に沿わせることでヘッダーを保護する。また、板材を起立させることで枝配管接続部の回転軌跡上から退避させる。
なお、ヘッダーを載置部に固定するサイドバンドの載置部長手方向両側に、この板材が蝶番で回動可能に連結されていてもよい。
【００１１】
請求項４に記載の発明は、前記ヘッダーの上側と、前記退避した位置とに回動移動可能に設けられた板材が前記保護カバーとして設けられている。
請求項４に記載の発明では、板材をヘッダーの上側に位置させることでヘッダーを保護する。そして、枝配管接続部の少なくとも１つを上方向に向ける必要があるときなどでは、板材を回転移動させて枝配管接続部の回転軌跡上から退避した位置に移動させる。
【００１２】
請求項５に記載の発明は、前記ヘッダーの上側と、前記退避した位置とにスライド移動可能に設けられた板材が前記保護カバーとして設けられている。
請求項５に記載の発明では、板材をヘッダーの上側に位置させることでヘッダーを保護する。そして、枝配管接続部の少なくとも１つを上方向あるいは反転方向に向ける必要があるときなどでは、板材をスライド移動させて枝配管接続部の回転軌跡上から退避した位置に移動させる。板材のスライド移動方向は、ヘッダーの側壁に沿った方向であってもよいし、載置部に対して平行な方向であってもよい。
【００１３】
請求項６に記載の発明は、請求項１〜５のうち何れか１項に記載の架台と、前記架台の前記載置部に固定された前記ヘッダーと、を備えている。
請求項６に記載の発明では、敷設したヘッダーを作業員がヘッダーを載置部に載置した後、ヘッダーの上側に保護カバーを移動させる。従って、敷設したヘッダーの上方から作業員が誤って踏んだり、運搬物を作業員が誤ってヘッダーの上方から落下させたりしても、保護カバーがヘッダーを強度的に保護しているのでヘッダーが損傷するおそれがない。
また、枝配管接続部の少なくとも１つを上方向あるいは反転方向に向ける必要があるときなどでは、枝配管接続部の回転軌跡上から退避した位置に保護カバーを移動させる。
【発明の効果】
【００１４】
本発明によれば、上方からの押圧や衝撃によってヘッダーが損傷することを防止した架台、及び、それを備えた配管システムとすることができる。
【図面の簡単な説明】
【００１５】
【図１】第１実施形態に係る配管システムを示す斜視図である。
【図２】第１実施形態に係る配管システムを示す斜視図である。
【図３】第１実施形態に係る配管システムを示す斜視図である。
【図４】第１実施形態で用いるヘッダーの部分平面図である。
【図５】第１実施形態で用いるヘッダー基体の側面部分断面図である。
【図６】第１実施形態で用いるヘッダー基体の連結状態を説明する平面図である。
【図７】第１実施形態に係る配管システムの変形例を示す斜視図である。
【図８】第１実施形態に係る配管システムの変形例を示す斜視図である。
【図９】第２実施形態に係る配管システムを示す斜視図である。
【図１０】第２実施形態に係る配管システムを示す斜視図である。
【図１１】第２実施形態に係る配管システムを示す斜視図である。
【図１２】第３実施形態に係る配管システムを示す斜視図である。
【図１３】第３実施形態に係る配管システムを示す斜視図である。
【図１４】第３実施形態に係る配管システムを示す斜視図である。
【発明を実施するための形態】
【００１６】
以下、実施形態を挙げ、本発明の実施の形態について説明する。なお、第２実施形態以下では、既に説明した構成要素と同様のものには同じ符号を付して、その説明を省略する。
【００１７】
［第１実施形態］
まず、第１実施形態について説明する。図１〜図３には、本実施形態に係る配管システム１０が示されている。配管システム１０には、連結式のヘッダー１２と、ヘッダー１２を載せるとともにヘッダー１２の上側を保護する本実施形態に係る架台１３と、を備えている。
【００１８】
図４〜図６に示すように、ヘッダー１２は複数のヘッダー基体１４を連結したものであり、隣接するヘッダー基体１４とヘッダー基体１４との間には連結部分４１が形成されている。このヘッダー基体１４は、主管部１６に枝配管接続部１８を一体的に備えている。主管部１６の内部には直線流路２０が設けられ、枝配管接続部１８の内部には立ち上り流路２２が設けられている。
【００１９】
枝配管接続部１８には、立ち上り流路２２と接続される樹脂パイプ２４に挿入される、例えば黒色に着色された合成樹脂性の内筒２６が設けられており、内筒２６の外表面に形成された周溝２８にオーリング３０が嵌め込まれている。
【００２０】
この内筒２６の外周側には、樹脂パイプ２４の挿入される隙間を介して透明な合成樹脂性の外筒３２が配置されている。この外筒３２の先端側には断面Ｖ字状とされたパイプ保持リング３４が配置され、外筒３２にはパイプ保持リング３４の抜けを防止するための筒状のキャップ３６が取り付けられている。
また、キャップ３６の内部には、パイプ保持リング３４の爪部の食い込みを解除する解放リング３８が装着されている。
【００２１】
内筒２６と外筒３２との間に樹脂パイプ２４が挿入されると、パイプ保持リング３４の内周側端部が樹脂パイプ２４の外周面に引っ掛かり、樹脂パイプ２４の抜けを阻止するようになっており、オーリング３０が樹脂パイプ２４の内周面に密着してシールを行う（いわゆる内面シール）。なお、樹脂パイプ２４は、内筒２６と外筒３２との間に挿入された状態で回転可能である。
【００２２】
また、解放リング３８を押し込んでパイプ保持リング３４に押圧すると、解放リング３８のテーパー部分がパイプ保持リング３４の内周側の傾斜面を摺動し、解放リング３４の内径が拡大して樹脂パイプ２４との引っ掛かりが解除され、樹脂パイプ２４を引き抜くことが出来る。
【００２３】
主管部１６の一方の端部も枝配管接続部１８と同様の構造となっており、他方の端部は樹脂パイプ２４と同一の内外径を有する筒体部４０となっており、内筒２６と外筒３２との間に挿入可能となっている。
【００２４】
したがって、ヘッダー基体１４の主管部１６の筒体部４０を隣接する他のヘッダー基体１４の主管部１６の内外筒間に挿入することで、図４に示すように、複数のヘッダー基体１４を直線状に連結して、各々のヘッダー基体１４が回転可能とされる連結式のヘッダー１２とすることが出来る。
【００２５】
なお、図１、図２、図４では全ての枝配管接続部１８を同じ方向に向けているが、例えば図３に示すように、何れかのヘッダー基体１４を回転させることで、何れかの枝配管接続部１８を別の方向へ向けることが出来る。
【００２６】
図１〜図３に示すように、架台１３には、敷設するヘッダー１２が載置される長尺状の載置部５０が幅方向中央位置に設けられており、ヘッダー１２は載置部５０の上に載置される。そして、架台１３は、載置部５０の幅方向両側にそれぞれ連続する長尺状の側部５２を有する。この側部５２には、後述のサイドバンド５６を固定するための細孔部５４が所定位置に形成されている。なお、図１〜図３では、手前側に見える側部５２に形成された細孔部５４を図示したが、手前側とは反対側（向こう側）の長手方向側部にも、同様に細孔部が形成されている。
なお、細孔部５４が形成されていなくてもよい。この場合、サイドバンド５６を固定するために、スラブに直接にビス止めするなどの作業を行う。
【００２７】
また、架台１３には、ヘッダー１２を載置部５０に固定するサイドバンド５６が設けられている。そして、ヘッダー１２の上側を開閉可能である保護カバーとして、すなわち、ヘッダー１２をヘッダー上側で強度的に保護する位置と、枝配管接続部１８の回転軌跡Ｒ（図３参照）から退避した位置とで移動可能にされている保護カバーとして、サイドバンド上部５６Ｕから載置部長手方向Ｕの両側にそれぞれ延び出す板材５８Ｐ、５８Ｑが設けられている。この板材５８Ｐ、５８Ｑは、何れも、根元側で、サイドバンド上部５６Ｕの両側で蝶番６０によって回動可能に連結されており、上方向Ｈへ折り曲げた状態（図２、図３参照）と載置部長手方向Ｕに沿った状態（図１参照）とに切り替え可能となっている。
【００２８】
サイドバンド５６は載置部長手方向Ｕから見るとＵ字状であり、下端部には、幅方向外側に向けて延び出す脚部６２が形成されている。脚部６２には、脚部６２が細孔部５４に固定され得るように、リベット、ボルト等で固定されるための円孔部６４が形成されている。なお、図１〜図３では、サイドバンド５６の手前側の脚部６２を図示したが、反対側（向こう側）の脚部にも、同様に円孔部が形成されている。
【００２９】
本実施形態では、複数のヘッダー基体１４を連結したヘッダー１２を載置部５０に載置した後、ヘッダー１２をサイドバンド５６で載置部５０の所定位置に固定する。この結果、板材５８Ｐ、５８Ｑでヘッダー１２の上側が保護される。従って、敷設したヘッダー１２の上方から作業員が誤って踏んでしまったり、運搬物を作業員が誤ってヘッダー１２の上方から落下させたりしても、板材５８Ｐ、５８Ｑがヘッダー１２を保護しているのでヘッダー１２が損傷するおそれがない。
【００３０】
枝配管接続部１８の回転軌跡Ｒ上から退避した位置に板材（保護カバー）５８Ｐ、５８Ｑを移動させる必要があるときには、板材５８Ｐ、５８Ｑをそれぞれ根元側から上方向Ｈに折り曲げた状態にすることにより板材５８Ｐ、５８Ｑをヘッダー１２に対して開の状態にする。この必要があるときとは、例えば、図３に示すように、何れかのヘッダー基体１４を回転させることで、何れかの枝配管接続部１８を上方向Ｈあるいは反転方向へ向けて接続をする必要が生じたときである。
また、板材５８Ｐ、５８Ｑを載置部長手方向Ｕに沿った位置に戻した状態にすることにより板材５８Ｐ、５８Ｑでヘッダー１２をヘッダー上側で保護した状態にする。
【００３１】
このように、本実施形態では、板材５８Ｐ、５８Ｑをヘッダー１２の上側に位置させることにより、上方からの押圧や衝撃によってヘッダー１２が損傷することを防止できる。そして、この板材５８Ｐ、５８Ｑが設けられていても、枝配管接続部１８の回転軌跡Ｒ上から退避した位置に板材５８Ｐ、５８Ｑを移動させて位置の切り替えを行うことができる。
【００３２】
また、板材５８Ｐ、５８Ｑに代えて、図７、図８に示すように、取付具７７によってサイドバンド５６の上側に固定される板材７８を設けてもよい。この場合、例えば、板材７８を、サイドバンド上部５６Ｕ（図１参照）に沿った湾曲平板状の中央部７８Ｃと、中央部７８Ｃの両側に蝶番６８で回動可能に連結された翼部７８Ｐ、７８Ｑと、で構成する。そして、取付具７７を中央部７８Ｃに沿った湾曲平板状にするとともに、平面から見たサイドバンド短手側でサイドバンド５６に固定される構成にする。
これにより、サイドバンド５６を取付けた後に取付具７７で板材７８を取付ける構成にしても、翼部７８Ｐ、７８Ｑを上方向Ｈへ折り曲げた状態（図８参照）とヘッダー１２をヘッダー上側で保護する状態（図７参照）とに切り替え可能となる。
【００３３】
［第２実施形態］
次に、第２実施形態について説明する。図９〜図１１に示すように、本実施形態に係る配管システム８０には、第１実施形態に比べ、蝶番８４によってサイドバンド５６の下端部に回動可能に連結された板材８８が、板材７８に代えて設けられた架台８３が備えられている。なお、第１実施形態と同様、板材８８はヘッダー１２を保護する保護カバーとして設けられている。
【００３４】
板材８８は、ヘッダー１２の上側に位置するときにヘッダー１２を強度的に保護するように形成された細長状の板材本体８８Ｍと、ヘッダー１２の外周形状に沿って板材本体８８Ｍの長手方向中央の側部から湾曲して延び出す回動板部８８Ｌと、を有する。
【００３５】
本実施形態では、板材８８は、平面から見たサイドバンド短手方向Ｓの一方側の下端部に、載置部長手方向Ｕに沿った軸回りに回動可能なように蝶番８４で取付けられている。従って、板材８８を、ヘッダー１２の上側に位置させてヘッダー１２を強度的に保護する位置から、枝配管接続部１８の回転軌跡Ｒ上から退避した位置にまで回動可能である。
【００３６】
［第３実施形態］
次に、第３実施形態について説明する。図１２〜図１４に示すように、本実施形態に係る配管システム９０には、第１実施形態に比べ、板材９８と、板材９８をスライド式で載置部短手方向Ｖの一方側に往復移動可能なように支える支持部１０４と、が板材５８Ｐ、５８Ｑ及び蝶番６０に代えて設けられた架台９３が備えられている。なお、第１実施形態と同様、板材９８はヘッダー１２を保護する保護カバーとして設けられている。
【００３７】
本実施形態では、板材９８は、板材本体８８Ｍと同形状の板材本体１００と、板材本体１００の長手方向中央の一方の側部から延び出すスライド移動板部１０２と、を有する。
【００３８】
支持部１０４は、架台９３の長手方向側部一方側の中央部から、載置部５０の側に向けて斜め上方に湾曲して延び出している。そして、支持部１０４には、スライド移動板部１０２をスライド式で出入させるスリット孔部１０６が形成されている。
【００３９】
本実施形態では、スライド移動板部１０２をスリット状孔部１０６内へスライド移動させて板材本体１００を、枝配管接続部１８の回転軌跡Ｒ上から退避した位置に移動させることにより、枝配管接続部１８の回転位置を変更することができる。そして、この位置では、板材９８の高さ位置を第１実施形態や第２実施形態よりも低くすることができる。
また、この状態からスライド移動板部１０２をスライド移動させて板材本体１００をヘッダー１２の上側に位置させることにより、ヘッダー１２を強度的に保護することができる。
【００４０】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【符号の説明】
【００４１】
１０  配管システム
１２  ヘッダー
１３  架台
１６  主管部
１８  枝配管接続部
５０  載置部
５６  サイドバンド
５８  板材（板材、保護カバー）
５８Ｐ  板材（板材、保護カバー）
５８Ｑ  板材（板材、保護カバー）
７８  板材（板材、保護カバー）
７８Ｐ  板材（板材、保護カバー）
７８Ｑ  板材（板材、保護カバー）
８０  配管システム
８３  架台
８８  板材（板材、保護カバー）
９０  配管システム
９３  架台
９８  板材（板材、保護カバー）
Ｓ  サイドバンド短手方向
Ｕ  載置部長手方向
【図１】
2010209930.tif 000003
【図２】
2010209930.tif 000004
【図３】
2010209930.tif 000005
【図４】
2010209930.tif 000006
【図５】
2010209930.tif 000007
【図６】
2010209930.tif 000008
【図７】
2010209930.tif 000009
【図８】
2010209930.tif 000010
【図９】
2010209930.tif 000011
【図１０】
2010209930.tif 000012
【図１１】
2010209930.tif 000013
【図１２】
2010209930.tif 000014
【図１３】
2010209930.tif 000015
【図１４】
2010209930.tif 000016